【事件の表示】
　平成３年特許願第２９４８６６号「一成分現像装置」拒絶査定に対する審判事件［平成５年４月３０日出願公開、特開平５−１０７９０８］について、次のとおり審決する。
【結　論】
　本件審判の請求は、成り立たない。
【理　由】
１．手続の経緯、本願発明
　本願は、平成３年１０月１６日の出願であって、その請求項１に係る発明は、平成１１年９月２７日付及び平成１２年５月９日付手続補正書により補正された内容を含む明細書及び図面の記載からみて、特許請求の範囲の請求項１に記載された次のとおりのものである。
「【請求項１】　静電潜像保持体と対向して配置され、一成分現像剤を表面に付着して搬送する現像剤担持体と、この現像剤担持体と面する位置に設けられ、現像剤を貯留するとともに撹拌が行われる現像剤撹拌室と、この現像剤撹拌室内で前記現像剤担持体の表面とほぼ平行に配置され、支持軸と、この支持軸とほぼ平行に取り付けられ支持軸回りに回転する棒状の撹拌部材、又は支持軸から張り出すように設けられた撹拌部材を備え、現像剤を前記現像剤担持体に供給するとともに現像剤の攪拌を行う供給部材と、前記供給部材とほぼ平行に立設された仕切部材で前記現像剤撹拌室と仕切られ、両端部で前記現像剤撹拌室と連通する現像剤搬送室と、この現像剤搬送室内に設けられ、回転軸と、この回転軸に取り付けられたらせん状部材、又は前記回転軸の軸線と傾斜角を有する翼体とを備え、現像剤を該回転軸の軸線方向に搬送する搬送部材とを有することを特徴とする一成分現像装置。」
　
２．引用例記載の発明
　これに対して、原査定の拒絶の理由として引用された引用例：特開平２−６４５８３号公報には以下の事項が記載されている。
「第１図は現像装置１の現像剤攪拌装置回りの平断面図を示すものであるが、図中１１、１２はその左右の両端部が現像装置１の本体側壁２０、２１に枢支されたスクリュータイプの現像剤用の第１、第２移送手段であり、該第１、第２移送手段１１、１２は現像剤中の着色顔料であるトナーと、いわゆるキャリアと呼ばれる鉄粉とを混合・攪拌すると共に、これ等を現像装置１内に移送循環させるものである。また第１、第２移送手段１１、１２間には現像装置１の不図示の本体底壁より突出して設けられる仕切板１３が配設され、第１、第２移送手段１１、１２でそれぞれ移送等がなされる現像剤が相互に混合するのを防止している。また前記仕切板１３の図中右端と右側の本体側壁２０間に通路幅ｌ１の現像剤用第１循環通路１５が設けられ、仕切板１３の左端と左側の本体側壁２１間に通路幅ｌ２の現像剤用第２循環通路１６が設けられている。即ち、第１移送手段１１が図中矢印の方向に回転して、現像剤を図中右方のＡ方向に混合・攪拌しつつ移送し、第２移送手段１２が図中矢印方向に回転し、現像剤を図中左方のＢ方向に混合・攪拌しつつ移送するため、現像剤は第１移送手段１１に沿いつつＡ方向に進んだ後、第１循環通路１５を経て第２移送手段１２に沿いつつＢ方向に進み、その後第２循環通路１６を経て再度第１移送手段１１に戻されて現像装置１内を循環することとなる。一方第２移送手段１２の一側には、その両端部が前記本体側板２０、２１に支持され、感光ドラムに形成された静電潜像にトナーを供給して、該静電潜像を顕像化するための現像スリーブ１４が配設されている。ここで現像スリーブ１４により現像剤中のトナーが消費されるため、現像スリーブ１４回りの現像剤のトナー濃度は低下し、逆にキャリアの濃度が増加することとなる。」（第３頁右下欄第８行〜第４頁右上欄第３行、第１図）、
「ここで以上の第１実施例から第４実施例においては第１、第２移送手段１１，１２をスクリュータイプとしたが、これにこだわる必要はなく同様の作用をする移送手段であれば他のタイプでもよいのは勿論である。」（第５頁左下欄第１９行〜右下欄第３行）、
「本発明はトナーのみの１成分系の現像剤を用いる現像装置にも適用できることは勿論である。」（第５頁右下欄第１０〜１２行）
　ここで、前記摘記部分に記載中の「該第１、第２移送手段１１、１２は現像剤中の着色顔料であるトナーと、いわゆるキャリアと呼ばれる鉄粉とを混合・攪拌すると共に、これ等を現像装置１内に移送循環させるものである。」及び「一方第２移送手段１２の一側には、その両端部が前記本体側板２０、２１に支持され、感光ドラムに形成された静電潜像にトナーを供給して、該静電潜像を顕像化するための現像スリーブ１４が配設されている。ここで現像スリーブ１４により現像剤中のトナーが消費されるため、現像スリーブ１４回りの現像剤のトナー濃度は低下し、逆にキャリアの濃度が増加することとなる。」と記載されるように、第２移送手段によって攪拌・移送されている現像剤が、第２移送手段の一側に配設された現像スリーブの回りに存在し、現像に寄与していることから、第２移送手段と共に現像スリーブの配設された室内に現像剤が貯留し、攪拌が行われていることは明らかである。
　よって、これらの記載から、引用例には、「感光ドラムと対向して配置された現像スリーブと、この現像スリーブと面する位置に設けられ、現像剤を貯留するとともに撹拌が行われる第２移送手段の配設された室と、この第２移送手段の配設された室内で前記現像スリーブの表面とほぼ平行に配置されたスクリュータイプの第２移送手段と、前記第２移送手段とほぼ平行に立設された仕切板で前記第２移送手段の配設された室と仕切られ、両端部で前記第２移送手段の配設された室と連通する第１移送手段の配設された室と、この第１移送手段の配設された室内に設けられたスクリュータイプの第１移送手段とを有する現像装置。」が記載されているものと認められる。
　
３．対比・判断
　引用例に記載の発明（以下、「引用例発明」という。）と本願請求項１に係る発明（以下、「本願発明」という）とを対比すると、引用例発明における「感光ドラム」、「現像スリーブ」、「現像剤」、「第２移送手段の配設された室」、「仕切板」、及び「第１移送手段の配設された室」が、それぞれ本願発明の「静電潜像保持体」、「現像剤担持体」、「現像剤」、「現像剤撹拌室」、「仕切部材」、及び「現像剤搬送室」に相当し、また、引用例発明における「スクリュータイプの第２移送手段」、「スクリュータイプの第１移送手段」、及び「現像装置」が、それぞれ本願発明における「支持軸と、この支持軸とほぼ平行に取り付けられ支持軸回りに回転する棒状の撹拌部材、又は支持軸から張り出すように設けられた撹拌部材を備え、現像剤を前記現像剤担持体に供給するとともに現像剤の攪拌を行う供給部材」、「回転軸と、この回転軸に取り付けられたらせん状部材、又は前記回転軸の軸線と傾斜角を有する翼体とを備え、現像剤を該回転軸の軸線方向に搬送する搬送部材」、及び「一成分現像装置」に対応する。
　そして、引用例発明の「スクリュータイプの第２移送手段」と本願発明の前記「供給部材」とは「現像剤担持体の表面とほぼ並行に配置された部材」である点で共通し、また、引用例発明の「スクリュータイプの第１移送手段」と本願発明の前記「搬送部材」とは、本願発明の前記搬送部材の構成が、「回転軸に取り付けられたらせん状部材」と「回転軸の軸線と傾斜角を有する翼体」との一方を択一的に備えたものであること、及び「スクリュータイプの第１移送手段」が、回転軸と回転軸の軸線と傾斜角を有する翼体とを備えた構成を有する移送手段であることから、両者は「回転軸と、前記回転軸の軸線と傾斜角を有する翼体とを備え、現像剤を該回転軸の軸線方向に搬送する搬送部材」である点で共通し、さらに、引用例発明の「現像装置」と本願発明の「一成分現像装置」とは「現像装置」である点で共通する。
　以上のことから、両者は表現は相違するが「静電潜像保持体と対向して配置された現像剤担持体と、この現像剤担持体と面する位置に設けられ、現像剤を貯留するとともに撹拌が行われる現像剤撹拌室と、この現像剤撹拌室内で前記現像剤担持体の表面とほぼ平行に配置された部材と、前記部材とほぼ平行に立設された仕切部材で前記現像剤撹拌室と仕切られ、両端部で前記現像剤撹拌室と連通する現像剤搬送室と、この現像剤搬送室内に設けられ、回転軸と、前記回転軸の軸線と傾斜角を有する翼体とを備え、現像剤を該回転軸の軸線方向に搬送する搬送部材とを有する現像装置。」の点で一致し、以下の点で相違する。
相違点(a) ：現像剤担持体が、本願発明では「一成分現像剤を表面に付着して搬送する現像剤担持体」であるのに対し、引用例発明ではそうではない点。
相違点(b) ：現像剤担持体の表面とほぼ並行に配置された部材が、本願発明では「支持軸と、この支持軸とほぼ平行に取り付けられ支持軸回りに回転する棒状の撹拌部材、又は支持軸から張り出すように設けられた撹拌部材を備え、現像剤を前記現像剤担持体に供給するとともに現像剤の攪拌を行う供給部材」であるのに対し、引用例発明では「スクリュータイプの第２移送手段」である点、
相違点(c) ：現像装置が、本願発明では「一成分現像装置」であるのに対し、引用例発明ではそうではない点。
　なお、前記搬送部材について、本願発明では構成要素として「この回転軸に取り付けられたらせん状部材」と「前記回転軸の軸線と傾斜角を有する翼体」とが記載されているが、前記両構成要素は二者択一的に記載されており、前記両構成要素を同時に備えたものではないので、その一方を備えた引用例発明との実質的な相違点にはあたらない。
　
　そこで、前記相違点について検討する。
相違点(a) について：
　現像剤担持体は、使用される現像剤をその表面に保持して静電潜像保持体へ供給するものであるから、相違点(a) に係る本願発明の構成は、使用される現像剤の種類を一成分現像剤に特定したものと言うことができる。よって、相違点(a) は、現像装置が、本願発明では一成分現像剤を使用したものであるのに対し、引用例発明ではそうではない点に帰着するものと認められる。
　それ故、相違点(a) は実質的には相違点(c) と同じものであると言えるから、相違点(c) についての判断に含めて検討する。
相違点(b) について：
　本願発明における「支持軸から張り出すように設けられた撹拌部材」は、本願明細書（平成１１年９月２７日付けで全文補正された明細書参照）に記載された実施例では、段落【００２１】の「回転軸６ａの周面かららせん状に張り出した搬送翼６ｄ」が該当するものと認められ、他にはこれに該当するものは認められない。してみると、本願発明の「支持軸と、支持軸から張り出すように設けられた撹拌部材を備え、現像剤を前記現像剤担持体に供給するとともに現像剤の攪拌を行う供給部材」は、前記「回転軸６ａの周面かららせん状に張り出した搬送翼６ｄ」を回転軸６ａの現像剤撹拌室５内の部分にまで設けたスクリューを包含するものとして理解される。
　一方、引用例発明において、「図中１１、１２はその左右の両端部が現像装置１の本体側壁２０、２１に枢支されたスクリュータイプの現像剤用の第１、第２移送手段であり、」（第３頁右下欄第９〜１２行）との記載及び第１図から、スクリュータイプの第２移送手段は、支持軸と、支持軸から張り出すように設けられたらせん状の部材を備えた構成であることが把握される。そして、現像装置１内を循環されている現像剤が現像スリーブに供給されているのであるから、前記第２移送手段が現像剤中で回転するとき、周囲の現像剤を撹拌し、軸線方向に現像剤を移動させると共に、半径方向にも現像剤を押し出し、現像スリーブへの現像剤の供給を行っていることも明らかである。
　したがって、本願発明の「支持軸と、支持軸から張り出すように設けられた撹拌部材を備え、現像剤を前記現像剤担持体に供給するとともに現像剤の攪拌を行う供給部材」と引用例発明の「スクリュータイプの第２移送手段」とは実質的に相違するものとは認められない。
　なお、本願発明の供給部材の構成要素として、「支持軸とほぼ平行に取り付けられ支持軸回りに回転する棒状の撹拌部材」が記載されているが、該撹拌部材は「支持軸から張り出すように設けられた撹拌部材」と並列に二者択一的に記載されているものであるから、前者の撹拌部材が記載されていることが引用例発明との実質的な相違点にあたるものとは認められない。
相違点(c) について：
　一成分現像剤を用いた現像装置において、現像剤撹拌室と、該現像剤撹拌室と仕切板で仕切られ、両端部で連通する現像剤搬送室とを設けて、現像剤を循環させるようにしたことは、特開平１−１３４４８０号公報、特開昭６３−２８２７６６号公報等に示されており、また、特開平１−１９５４７３号公報には、二成分現像剤用として記載された同様の構成のものが二成分系以外の現像剤を使用する現像装置に応用してもよいことが記載されているように、周知である。
　そして、引用例においても、「本発明はトナーのみの１成分系の現像剤を用いる現像装置にも適用できることは勿論である。」（第５頁右下欄第１０〜１２行）と記載されるとおり、１成分系の現像剤を用いる現像装置にも適用できることが教示されている。
　これらのことから、引用例発明において、前記教示に従い、一成分現像剤を用いる一成分現像装置として構成することは当業者が容易になし得たことと認められる。
　また、一成分現像装置として構成した際には、一成分現像剤が現像剤担持体の表面に付着して搬送されることは当然のことである。
　
　以上のとおり、相違点(b) は表現上の相違にすぎず実質的な相違点ではなく、相違点(a) 及び(c) は当業者が容易になし得た程度のことにすぎない。
　そして、本願発明によって得られる明細書記載の効果も、引用例及び周知技術から容易に予測される程度のものにすぎない。
　
４．むすび
　以上のとおりであるから、本願の請求項１に係る発明は、引用例に記載された発明及び周知技術に基づいて当業者が容易に発明をすることができたものと認められるから、特許法第２９条第２項の規定により特許を受けることができない。
  よって、結論のとおり審決する。